(57)【特許請求の範囲】
【請求項１】
一面に開口を有する枠体と、
光源部と前記枠体に取り付けられる取付部材とを含み、前記枠体の内側に位置するように配置される灯具部と、
を備え、
前記枠体は、
前記灯具部の端部に向かい合う内側面に設けられ、前記取付部材を支持する第１の支持部と、
前記第１の支持部が設けられた前記内側面と同じ前記内側面に設けられ、前記取付部材を支持する第２の支持部とを含み、
前記取付部材は、
前記灯具部の前記端部に設けられ、
前記第１の支持部に回転自在に支持された第１の被支持部と、
前記第２の支持部に嵌められ、前記第２の支持部に支持された第２の被支持部とを含み、
前記第１の支持部及び前記第２の支持部は、
前記灯具部が配置されている側に向かって突出するように構成され、
前記取付部材は、
板状に構成された取付部材本体を含み、
前記取付部材本体は、
一方側に形成され、前記第１の被支持部に対応する構成である切欠と、
他方側に形成され、前記第２の被支持部に対応する構成である開口部とを含み、
前記取付部材は、
前記開口部に前記第２の支持部が嵌められる際に前記第２の支持部と接触する傾斜面が形成され、前記取付部材本体の前記他方側の上端に接続された傾斜面部をさらに含み、
前記傾斜面部は、
前記開口部に前記第２の支持部が嵌められた状態において、前記第２の支持部よりも前記枠体の天井面側の位置にあり、
前記傾斜面は、
前記天井面側に位置する部分よりも前記第２の支持部側に位置する部分の方が前記枠体の前記内側面に寄るように傾斜し、
前記第２の支持部は、
一端が前記枠体の前記内側面に接続された棒状部と、
前記棒状部の他端に形成され、前記棒状部よりも径が大きい頭部とを含み、
前記取付部材は、
前記開口部の縁部に形成され、前記枠体の前記内側面から前記取付部材本体に向かって突出する凸状部をさらに含み、
前記凸状部は、
前記開口部に前記頭部が嵌められた状態において、前記頭部の周りに配置されている
照明装置。
【請求項２】
一面に開口を有する枠体と、
光源部と前記枠体に取り付けられる取付部材とを含み、前記枠体の内側に位置するように配置される灯具部と、
を備え、
前記枠体は、
前記灯具部の端部に向かい合う内側面に設けられ、前記取付部材を支持する第１の支持部と、
前記第１の支持部が設けられた前記内側面と同じ前記内側面に設けられ、前記取付部材を支持する第２の支持部とを含み、
前記取付部材は、
前記灯具部の前記端部に設けられ、
前記第１の支持部に回転自在に支持された第１の被支持部と、
前記第２の支持部に嵌められ、前記第２の支持部に支持された第２の被支持部とを含み、
前記第１の支持部及び前記第２の支持部は、
前記灯具部が配置されている側に向かって突出するように構成され、
前記取付部材は、
板状に構成された取付部材本体を含み、
前記取付部材本体は、
一方側に形成され、前記第１の被支持部に対応する構成である切欠と、
他方側に形成され、前記第２の被支持部に対応する構成である開口部とを含み、
前記取付部材は、
前記開口部に前記第２の支持部が嵌められる際に前記第２の支持部と接触する傾斜面が形成され、前記取付部材本体の前記他方側の上端に接続された傾斜面部をさらに含み、
前記傾斜面部は、
前記開口部に前記第２の支持部が嵌められた状態において、前記第２の支持部よりも前記枠体の天井面側の位置にあり、
前記傾斜面は、
前記天井面側に位置する部分よりも前記第２の支持部側に位置する部分の方が前記枠体の前記内側面に寄るように傾斜し、
前記第２の支持部及び前記第２の被支持部は、
前記傾斜面部の前記天井面側の端部から前記内側面までの間隔が、前記第２の支持部の先端から前記内側面までの間隔よりも大きくなるように構成されている
照明装置。
【請求項３】
前記灯具部は、
前記第１の被支持部が前記第１の支持部に支持され、前記第２の被支持部が前記第２の支持部に嵌められた第１の状態と、
前記第１の状態における前記第２の被支持部が前記第２の支持部から外れ、前記第１の被支持部を中心に前記取付部材が回動可能な第２の状態とに変更自在である
請求項１又は２に記載の照明装置。
【請求項４】
前記第２の支持部は、
一端が前記枠体の前記内側面に接続された棒状部と、
前記棒状部の他端に形成され、前記棒状部よりも径が大きい頭部とを含み、
前記頭部は、
前記第２の支持部との接触面が曲面状に形成されている
請求項１〜３のいずれか一項に記載の照明装置。
【請求項５】
前記取付部材は、
前記第１の被支持部が形成された第１の金具と、
前記第２の被支持部が形成された第２の金具とを含み、
前記第２の金具は、
前記第１の金具よりも弾性を有するように構成されている
請求項１〜４のいずれか一項に記載の照明装置。
【請求項６】
前記第２の金具には、
前記傾斜面部がさらに形成されている
請求項５に記載の照明装置。
【請求項７】
前記灯具部は、
一方の面に前記光源部が設けられ、前記一方の面とは反対側の他方の面に前記取付部材が設けられた設置部をさらに含み、
前記取付部材は、
前記取付部材本体の下端に接続され、前記取付部材本体に直交し、前記設置部に固定された固定部と、
前記取付部材本体の前記他方側の側端に接続され、前記取付部材本体に交差する操作部とをさらに含み、
前記取付部材本体は、
前記内側面に対向する第１の面及び前記第１の面とは反対側に形成された第２の面を含み、
前記固定部は、
予め定められた間隔をあけて、前記取付部材本体の前記第２の面の対向位置に設けられ、前記取付部材本体の撓み量を規制する撓み量規制部を含む
請求項１又は２に記載の照明装置。
【請求項８】
前記取付部材は、
前記第１の被支持部が形成された第１の金具と、
前記第２の被支持部及び前記操作部が形成された第２の金具とを含み、
前記第２の金具は、
前記第１の金具よりも弾性を有するように構成されている
請求項７に記載の照明装置。
【発明の詳細な説明】
【技術分野】
【０００１】
本発明は、照明装置に関し、特に、照明装置が備えている灯具部の着脱構造に関するものである。
【背景技術】
【０００２】
照明装置は、器具本体と、器具本体に着脱自在に設けられ、光源に対応するＬＥＤモジュールを含む灯具部とを備えているものが提案されている（例えば、特許文献１参照）。特許文献１に記載の照明装置は、灯具部の取付位置及び取付数を変更することができるように器具本体に複数の取付孔が形成されている。そして、この照明装置の灯具部は、取付孔を介してネジが締結されて、器具本体に固定される。
【先行技術文献】
【特許文献】
【０００３】
【特許文献１】特開２０１４−８６３５６号公報
【発明の概要】
【発明が解決しようとする課題】
【０００４】
照明装置の器具本体は、例えば、建物等の天井に据え付けられる。ここで、照明装置の灯具部がねじ止めにより器具本体に取り付ける態様の照明装置では、作業者は灯具部を交換する作業において、ドライバー等の工具を用いる。照明装置は天井に設けられているため、作業者は、脚立等に登りながら、工具を用いて作業をすることになる。したがって、照明装置の灯具部がねじ止めにより器具本体に取り付ける態様の照明装置では、灯具部を交換する際において、灯具部を着脱する作業者の負担が増大してしまうという課題がある。
【０００５】
本発明は、以上のような課題を解決するためになされたもので、灯具部を着脱する作業負担を抑制することができる照明装置を提供することを目的としている。
【課題を解決するための手段】
【０００６】
本発明に係る照明装置は、一面に開口を有する枠体と、光源部と前記枠体に取り付けられる取付部材とを含み、前記枠体の内側に位置するように配置される灯具部と、を備え、前記枠体は、前記灯具部の端部に向かい合う内側面に設けられ、前記取付部材を支持する第１の支持部と、前記第１の支持部が設けられた前記内側面と同じ前記内側面に設けられ、前記取付部材を支持する第２の支持部とを含み、前記取付部材は、前記灯具部の前記端部に設けられ、前記第１の支持部に回転自在に支持された第１の被支持部と、前記第２の支持部に嵌められ、前記第２の支持部に支持された第２の被支持部とを含み、前記第１の支持部及び前記第２の支持部は、前記灯具部が配置されている側に向かって突出するように構成され、前記取付部材は、板状に構成された取付部材本体を含み、前記取付部材本体は、一方側に形成され、前記第１の被支持部に対応する構成である切欠と、他方側に形成され、前記第２の被支持部に対応する構成である開口部とを含み、前記取付部材は、前記開口部に前記第２の支持部が嵌められる際に前記第２の支持部と接触する傾斜面が形成され、前記取付部材本体の前記他方側の上端に接続された傾斜面部をさらに含み、前記傾斜面部は、前記開口部に前記第２の支持部が嵌められた状態において、前記第２の支持部よりも前記枠体の天井面側の位置にあり、前記傾斜面は、前記天井面側に位置する部分よりも前記第２の支持部側に位置する部分の方が前記枠体の前記内側面に寄るように傾斜し、前記第２の支持部は、一端が前記枠体の前記内側面に接続された棒状部と、前記棒状部の他端に形成され、前記棒状部よりも径が大きい頭部とを含み、前記取付部材は、前記開口部の縁部に形成され、前記枠体の前記内側面から前記取付部材本体に向かって突出する凸状部をさらに含み、前記凸状部は、前記開口部に前記頭部が嵌められた状態において、前記頭部の周りに配置されているものである。
【発明の効果】
【０００７】
本発明に係る照明装置によれば、上記構成を有しているため、灯具部を着脱する作業負担を抑制することができる。
【図面の簡単な説明】
【０００８】
【図１】本発明の実施の形態に係る照明装置１００の斜視図である。
【図２】本発明の実施の形態に係る照明装置１００の分解斜視図である。
【図３】本発明の実施の形態に係る照明装置１００の一方の灯具部３００を開いた状態の説明図である。
【図４Ａ】本発明の実施の形態に係る照明装置１００の灯具部３００を下側から見た分解図である。
【図４Ｂ】本発明の実施の形態に係る照明装置１００の灯具部３００を上側から見た分解図である。
【図５】本発明の実施の形態に係る照明装置１００の取付部材３の説明図である。
【図６】本発明の実施の形態に係る照明装置１００の取付部材３を構成する各部品の説明図である。
【図７】本発明の実施の形態に係る照明装置１００の取付部材３の第２の被支持部３２及び第２の被支持部３２に嵌る第２の支持部２５２等の説明図である。
【図８】本発明の実施の形態に係る照明装置１００の透光性カバー３０３を取付部材３に固定する構成等についての説明図である。
【図９】本発明の実施の形態に係る照明装置１００の第１の状態の説明図である。
【図１０】本発明の実施の形態に係る照明装置１００の第２の状態の説明図である。
【図１１】本発明の実施の形態に係る照明装置１００の意匠性を向上させる構成の説明図である。
【図１２】本発明の実施の形態に係る照明装置１００の変形例の説明図であり、操作部３５で取付部材１を撓ませる前の状態の説明図である。
【図１３】本発明の実施の形態の変形例の説明図であり、操作部３５で取付部材１を撓また後の状態の説明図である。
【図１４】本発明の実施の形態の変形例の斜視図であり、操作部３５で取付部材１を撓ませる前の状態の説明図である。
【図１５】本発明の実施の形態の変形例の斜視図であり、操作部３５で取付部材１を撓ませた後の状態の説明図である。
【図１６】本発明の実施の形態の変形例の灯具部３００を上側から見た図であり、操作部３５で取付部材１を撓ませる前の状態の図である。
【図１７】本発明の実施の形態の変形例の灯具部３００を上側から見た図であり、操作部３５で取付部材１を撓ませた後の状態の図である。
【図１８】本発明の実施の形態の変形例の取付部材１の第２の金具Ｕ２を各種の方向から見た図である。
【発明を実施するための形態】
【０００９】
実施の形態．
図１は、本実施の形態に係る照明装置１００の斜視図である。図２は、本実施の形態に係る照明装置１００の分解斜視図である。図３は、本実施の形態に係る照明装置１００の一方の灯具部３００を開いた状態の説明図である。なお、図１は、照明装置１００を下側から見た斜視図である。また、図２は、器具本体２００から一方の灯具部３００及びルーバー２３０を取り外し、他方の灯具部３００及びルーバー２３０については器具本体２００に取り付けた状態を示している。図１〜図３に基づいて、照明装置１００について説明する。
本実施の形態に係る照明装置１００は、灯具部３００を着脱する作業負担を抑制することができる改良が加えられたものである。
【００１０】
なお、本実施の形態の説明において、「上側（上方）」は、Ｚ１方向に対応し、「下側（下方）」は、Ｚ２方向に対応している。また、「水平方向」は、Ｘ１方向、Ｘ２方向、Ｙ１方向及びＹ２方向に対応している。なお、Ｘ１方向とＸ２方向とは逆方向であり、Ｙ１方向及びＹ２方向とは逆方向である。また、Ｘ１方向及びＸ２方向と、Ｙ１方向及びＹ２方向とは直交する。また、Ｙ１方向及びＹ２方向は、灯具部３００の長手方向に平行であり、Ｘ１方向及びＸ２方向は、灯具部３００の短手方向に平行である。
なお、Ｘ１方向、Ｘ２方向、Ｙ１方向、Ｙ２方向、Ｚ１方向及びＺ２方向は、照明装置１００が天井に取り付けられている状態における方向を示している。照明装置１００は、壁等、天井以外の被取り付け部に取り付けられていてもよい。
【００１１】
＜照明装置１００の構成説明＞
照明装置１００は、固定具（図示せず）を介して例えば天井に取り付けられ、長尺に形成された灯具部３００が点灯することによって室内等に光が照射される。図１に示すように、照明装置１００には、器具本体２００と、器具本体２００に設けられ、灯具部３００に給電して灯具部３００を点灯させる点灯装置２１０と、器具本体２００に設けられ、着脱自在の２つの灯具部３００と、平板状のパネルＰＡとを備えている。
また、照明装置１００は、灯具部３００から照射される光を和らげる複数のルーバー２３０と、灯具部３００に給電するのに利用され、電源線が取り付けられる電源端子台（図示省略）とを備えている。
【００１２】
器具本体２００は、２つの枠体２０１を備え、例えば金属等で構成される。器具本体２００の枠体２０１は、矩形状の天面部２０１Ｃと、天面の端部より形成された２つの側面部２０１Ａを含む枠本体２０１Ｂとを含んでいる。枠体２０１には、枠本体２０１Ｂの側面部２０１Ａが形成されていない端部に設けられる２つのフレーム２０２が設けられている。フレーム２０２は、枠体２０１の一部を構成している。フレーム２０２の内側面ＳＡには、灯具部３００を支持する支持構造２５０が固定されている。天面部２０１Ｃには、通気穴２０１Ｄが形成されている。また、通気穴２０１Ｄの開口縁部のうちの長辺部分には、天面部２０１Ｃに直交するように形成された板状部材である壁部２０１Ｆが形成されている。通気穴２０１Ｄは、一方の灯具部３００を収容する一方の枠体２０１に６つ形成されている。通気穴２０１Ｄが形成されていることで、枠体２０１内に暖まった空気がこもることを回避することができる。Ｙ１方向の端側に位置する２つの通気穴２０１Ｄに壁部２０１Ｆがそれぞれ形成されている。これらの壁部２０１Ｆは、対向するように配置されており、この壁部２０１Ｆの間に点灯装置２１０が配置されている。なお、Ｙ２方向の端側に位置する２つの通気穴２０１Ｄにも向かい合う壁部２０１Ｆがそれぞれ形成されている。同様に、これらの壁部２０１Ｆの間に点灯装置２１０が配置されている。
また、枠体２０１の天面部２０１Ｃには、点灯装置２１０に接続される各種配線を隠す配線隠し２０１Ｅが設けられている。配線隠し２０１Ｅは、例えば、Ｘ１方向又はＸ２方向に延びるように形成され、上側と向かい合う側面が開放されたケース状部材である。
【００１３】
器具本体２００の枠体２０１は、２つの灯具部３００を収容している。枠体２０１の下面側には、矩形状の開口２０１Ｇが形成されている。より詳細には、枠体２０１は、枠本体２０１Ｂとフレーム２０２により一面が開口した箱形状に形成されているものである。枠体２０１のうち開口２０１Ｇの形成部分には、ルーバー２３０が取り付けられており、灯具部３００は、このルーバー２３０を介して室内等に臨む。
枠体２０１は、向かい合う一組の端部に側面部２０１Ａが設けられ、この一組の端部とは異なる向かい合う一組の端部にフレーム２０２が設けられている。ルーバー２３０は、側面部２０１Ａに引っ掛けられて設けられている。側面部２０１Ａとフレーム２０２とは直交するように配置されている。枠本体２０１Ｂの側面部２０１Ａ及び器具本体２００のフレーム２０２によって囲われる部分には、天面部２０１Ｃに対向する開口へ照射できるように灯具部３００が配置されている。
【００１４】
ルーバー２３０は、灯具部３００の下側に配置されている。ルーバー２３０は、灯具部３００の長手方向に直交するＸ１方向及びＸ２方向に平行に設けられ、灯具部３００の長手方向（Ｙ１方向及びＹ２方向）に並ぶように複数配置されている。例えば、照明装置１００が天井に取り付けられている場合には、ルーバー２３０は、水平方向に平行であって、灯具部３００の長手方向に直交するように配置されることになる。
パネルＰＡは、２つの枠体２０１の間に配置されているものである。器具本体２００には、図示省略の電源端子台等が設けられているが、この電源端子台は、例えば、パネルＰＡの上側に配置される。このように、パネルＰＡは、照明装置１００の内部構造が見えないようにして意匠性を向上させている。
また、フレーム２０２は、２つの枠体２０１を、２つの枠体２０１のそれぞれの側面部２０１Ａが対向するように連結する機構も有している。
【００１５】
灯具部３００は、図３に示すように、開閉自在に枠体２０１に支持されている。灯具部３００を開くと灯具部３００によって隠れていた構成が露出する。具体的には、灯具部３００を開くと、点灯装置２１０、通気穴２０１Ｄ、壁部２０１Ｆ等といった構成が露出する。したがって、点灯装置２１０のメンテナンスは、灯具部３００を枠体２０１から完全に取り外さなくても実施することができる。灯具部３００の長手方向の両端部には、それぞれ取付部材３が設けられている。この取付部材３は、枠体２０１から着脱自在になっている。灯具部３００は、取付部材３によって枠体２０１に支持される。灯具部３００等の支持構造については後段で詳しく説明する。
【００１６】
なお、照明装置１００は図１に示した形態以外のものであってもよい。例えば、照明装置１００は、１つの灯具部３００を着脱自在に取り付けられるものであってもよい。また、照明装置１００には、ルーバー２３０が、取り付けられていなくてもよい。また、照明装置１００は、器具本体２００が枠体２０１を１つだけ備えるものであってもよい。また、照明装置１００は、天井以外に取り付けられるものであってもよい。
【００１７】
＜灯具部３００及び灯具部３００の支持構造２５０の構成説明＞
図４Ａは、本実施の形態に係る照明装置１００の灯具部３００を下側から見た分解図である。図４Ｂは、本実施の形態に係る照明装置１００の灯具部３００を上側から見た分解図である。図４Ａ及び図４Ｂを参照して灯具部３００について説明する。
灯具部３００は長尺状部材であり、端部が器具本体２００に支持（係止）される構造を備えている。一方、枠体２０１のフレーム２０２には、灯具部３００を支持する支持構造２５０を備えている。
灯具部３００は、両方の端部にそれぞれ設けられた取付部材３と、曲げ形成された反射板３０２と、光を通過する透光性カバー３０３と、光源としてＬＥＤが採用されている光源部３０４と、光源部３０４が設置された設置部３０５とを備えている。なお、本実施の形態では、光源モジュールの光源としてＬＥＤを採用している場合について説明するが、それに限定されるものではない。例えば、灯具部３００は、有機ＥＬを光源とした態様であってもよいし、蛍光灯を光源とした態様であってもよい。また、灯具部３００の光源部３０４の光照射方向とは、矢印Ｚ２方向に対応している。
枠体２０１は、取付部材３を回転自在に支持する第１の支持部２５１と取付部材３に嵌ることで取付部材３を支持する第２の支持部２５２とを含む支持構造２５０を備えている。
【００１８】
取付部材３は、例えば、金属製の板材で構成することができる。本実施の形態では、取付部材３が金属製の板材である場合を一例に説明するが、それに限定されるものではなく、樹脂等で構成することもできる。取付部材３の一方には、枠体２０１に設けられた第１の支持部２５１に回転自在に支持される第１の被支持部３１が形成され、取付部材３の他方には、枠体２０１に設けられた第２の支持部２５２に嵌まる第２の被支持部３２が形成されている。取付部材３は、金属製の板材である第１の金具Ｕ１及び金属製の板材である第２の金具Ｕ２の２つの部品を含む。第１の金具Ｕ１と第２の金具とは、例えば、ネジ等の固定部材で固定されている。取付部材３の詳細な構成については、後段の図５〜図７で説明する。
【００１９】
反射板３０２は、透光性カバー３０３を通過した光等を室内に反射させる反射部３０２Ａと、反射部３０２Ａの端部に曲げ形成された折曲部３０２Ｂと、透光性カバー３０３が配置される段部３０２Ｃとを含む。本実施の形態において、反射板３０２と設置部３０５とは一体的に形成されているものとして説明するが、それに限定されるものではなく、別体であってもよい。
反射部３０２Ａは、灯具部３００が枠体２０１に取り付けられ、取付部材３の第２の被支持部３２が第２の支持部２５２に嵌っている状態（図９参照）において、透光性カバー３０３が配置されている側（段部３０２Ｃ側）から折曲部３０２Ｂ側に向かうにしたがって下側に傾斜するように設けられている。反射部３０２Ａの下側には、ルーバー２３０が配置され、反射部３０２Ａの上側には、取付部材３、点灯装置２１０及び点灯装置２１０に接続される各種配線（図示省略）等が配置されている。
なお、１つの灯具部３００には、２つの反射部３０２Ａが設けられている。一方の反射部３０２Ａの上側には、第１の金具Ｕ１が配置されており、他方の反射部３０２Ａの上側には、第２の金具Ｕ２が配置されている。この反射部３０２Ａが設けられていることにより、取付部材３、点灯装置２１０及び各種配線が隠れるので、照明装置１００の意匠性を向上させることができるようになっている。
折曲部３０２Ｂは、反射部３０２Ａの端部が曲げられて形成された部分であり、反射部３０２Ａの端部からＺ１方向に延びるように形成されている。折曲部３０２Ｂが形成されていることにより、灯具部３００の上側に配置されている構成（点灯装置２１０等）が見えにくくなり、照明装置１００の意匠性を向上させることができる。また、折曲部３０２Ｂが形成されていることにより、作業者が反射板３０２の端面で手指を傷付けてしまうことを回避することができる。また、折曲部３０２Ｂを形成することにより、反射部３０２Ａの長手方向のたわみを抑制することができる。
また、折曲部３０２Ｂは、第１の金具Ｕ１側に位置するものと、第２の金具Ｕ２側に位置するものがある。第２の金具Ｕ２側に位置する折曲部３０２Ｂには、後述する操作部３５が設けられていることを作業者に知らせるマーク等を設けるとよい。これにより、灯具部３００を外す際の作業者の負担を抑制することができる。なお、マーク等としては、例えば、凹凸等を採用することができ、特に、限定されるものではない。
段部３０２Ｃは、反射板３０２におけるＸ１方向及びＸ２方向に平行な幅の中央側に形成されている。段部３０２Ｃは、一方が設置部３０５に接続され、他方が反射部３０２Ａに接続されている。段部３０２Ｃは、反射部３０２Ａが形成されている位置の方が、透光性カバー３０３が配置される設置部３０５が形成されている位置よりも下側に位置するように段状に形成されているものである。段部３０２Ｃには、透光性カバー３０３が端部側に形成された後述の平面部３０３Ｂに対向配置されている。
【００２０】
透光性カバー３０３は、反射板３０２と同様にＹ１方向及びＹ２方向に平行に延びるように形成された長尺状の部材である。透光性カバー３０３は、光を透過させることができれば材質は特に限定されるものではない。なお、灯具部３００を第２の支持部２５２から外し、灯具部３００が第１の支持部２５１を軸として回転したときに、透光性カバー３０３と枠体２０１とが衝突することがある。したがって、透光性カバー３０３を、例えば樹脂で構成すると、衝突によって透光性カバー３０３及び枠体２０１のいずれも傷つくことを回避することができる。
透光性カバー３０３は、曲面状に形成された曲面部３０３Ａと、曲面部３０３Ａの長辺に対応する両端にそれぞれ形成された平面部３０３Ｂと、曲面部３０３Ａの短辺に対応する両端にそれぞれ形成された平面部３０３Ｃと、取付部材３に固定される固定部３０３Ｄと、固定部３０３Ｄと固定部材３０３Ｅとを固定する固定部材３０３Ｅとを含む。
曲面部３０３Ａは、光源部３０４から照射される光のムラを抑制する機能を有する。すなわち、曲面部３０３Ａの縦断面形状は、光源部３０４の光源から曲面部３０３Ａまでの距離が同じとなるように、光源部３０４の光源を中心とした円弧状になっている。光源部３０４の光源としてＬＥＤが採用されている場合には、光の強度が特に高い角度範囲（配光角）に応じて曲面部３０３Ａの形状を設定するとよい。
平面部３０３Ｂは、段部３０２Ｃに対向配置されているものである。すなわち、透光性カバー３０３は、２つの段部３０２Ｃの間に収められた状態で、設置部３０５に設置される。
固定部３０３Ｄは、平面視形状が三角形状をしているものである。固定部３０３Ｄには、固定部材３０３Ｅが挿入される開口部が形成されており、固定部材３０３Ｅによって取付部材３に固定される。すなわち、透光性カバー３０３は、固定部３０３Ｄが固定部材３０３Ｅによって取付部材３に取り付けられている。ここで、透光性カバー３０３を固定する構成を平面部３０３Ｂに形成することもできる。例えば、平面部３０３Ｂに開口部を形成し、固定部材を段部３０２Ｃに締結したり、設置部３０５に締結したりするということである。しかし、この態様では、透光性カバー３０３の平面部３０３Ｂと設置部３０５との間に隙間ができやすく、透光性カバー３０３から光が漏れてしまいやすい構造となっている。そこで、透光性カバー３０３は、長辺に対応する端部ではなく、短辺に対応する端部に固定部３０３Ｄを形成し、平面部３０３Ｂと設置部３０５との間に隙間が発生することを抑制し、透光性カバー３０３から光が漏れてしまうことを抑制しながら、透光性カバー３０３を固定することができるようになっている。
【００２１】
光源部３０４は、例えば、ＬＥＤモジュール等が設けられた基板に対応する構成である。光源部３０４は、設置部３０５に配置されている。光源部３０４も、透光性カバー３０３と同様に長尺状の部材である。光源部３０４は、例えば、設置部３０５にツメ構造を形成して設置部３０５に固定することもできるし、ネジで設置部３０５に固定することもできる。
【００２２】
設置部３０５は、灯具部３００が枠体２０１に取り付けられている状態において、下面に光源部３０４が取り付けられ、上面の上側に点灯装置２１０等が配置されている。設置部３０５には、光源部３０４を覆うように透光性カバー３０３が取り付けられている。
【００２３】
支持構造２５０は、枠体２０１に固定されているものである。支持構造２５０は、一方が枠体２０１のフレーム２０２の内側面ＳＡに接続され、他方が取付部材３を回転自在に支持する第１の支持部２５１と、一方が枠体２０１のフレーム２０２の内側面ＳＡに接続され、他方が取付部材３に嵌ることで取付部材３を支持する第２の支持部２５２とを含む。
照明装置１００には、２つの灯具部３００が設けられている。そして、それぞれの灯具部３００には、２つの取付部材３が設けられている。すなわち、照明装置１００には、４つの取付部材３が設けられている。第１の支持部２５１及び第２の支持部２５２も、取付部材３の数に応じ、４つずつ設けられている。第１の支持部２５１は、第２の支持部２５２よりも下側に配置されている。第１の支持部２５１は、第２の支持部２５２よりも側面部２０１Ａ側に配置されている。第２の支持部２５２は、後述するように、例えば、枠体２０１に締結される棒状部２５２Ａ及び棒状部２５２Ａの先端に形成された頭部２５２Ｂが形成されたネジ状の部材で構成することができる。なお、第１の支持部２５１についても、第２の支持部２５２と同様の構成を採用することができ、棒状部及び頭部が形成されたネジ状の部材で構成することができる。
【００２４】
＜灯具部３００の支持機構の詳細説明＞
図５は、本実施の形態に係る照明装置１００の取付部材３の説明図である。図６は、本実施の形態に係る照明装置１００の取付部材３を構成する各部品の説明図である。図７は、本実施の形態に係る照明装置１００の取付部材３の第２の被支持部３２及び第２の被支持部３２に嵌る第２の支持部２５２等の説明図である。図６（ａ）は第１の金具Ｕ１の説明図であり、図６（ｂ）は第２の金具Ｕ２及び操作部３５の説明図であり、図６（ｃ）は第１の金具Ｕ１と第２の金具Ｕ２とが連結している状態の説明図である。図５〜図７を参照して照明装置１００の支持機構について詳しく説明する。
【００２５】
取付部材３は、切欠である第１の被支持部３１と開口部である第２の被支持部３２とが形成された取付部材本体３０と、取付部材本体３０を構成する部品同士を連結する固定部材３７と、設置部３０５に固定される固定部３６と、作業者が第２の支持部２５２に嵌っている第２の被支持部３２を外すときに握持する操作部３５とを含む。
取付部材本体３０は、例えば鉄等で構成される第１の金具Ｕ１と、第１の金具Ｕ１に固定され、例えばステンレス等で構成される第２の金具Ｕ２とを含む。
【００２６】
取付部材本体３０の第１の金具Ｕ１の一方には、切欠である第１の被支持部３１が形成され、他方には固定部材３７が挿入される開口部３７Ａが形成されている。ここで、固定部材３７は、例えば、ボルト及びナットで構成することができる。なお、固定部材３７は、この構成に限定されるものではなく、リベット等であってもよい。
第１の被支持部３１には、取付部材３が第１の支持部２５１から外れにくくするように、凸部３１Ａが形成されている。すなわち、第１の被支持部３１に第１の支持部２５１が挿入されている状態では、図６（ａ）に示すように、凸部３１ＡよりもＸ２方向側に第１の支持部２５１が位置している。
また、第１の金具Ｕ１には、この固定部材３７が挿入される開口部３７Ａよりも他方側に、第２の被支持部３２に挿入される第２の支持部２５２によって第２の金具Ｕ２が破損等することを抑制する保護部３８が形成されている。保護部３８は、第２の被支持部３２である開口部の一部に重なるように配置されている。これにより、例えば第２の支持部２５２を第２の被支持部３２に嵌める際に、取付部材３を上側に勢いよく押し付けても、第２の支持部２５２と第２の金具Ｕ２よりも強度が高い保護部３８とが衝突することになるので、第２の金具Ｕ２が破損等することを抑制することができる。すなわち、例えば第２の支持部２５２を第２の被支持部３２に嵌める際に、取付部材３を上側に勢いよく押し付けても、第２の支持部２５２と第２の被支持部３２の開口部の縁とが衝突することを回避することができるということである。さらに、第１の金具Ｕ１には、固定部３６が接続されている。第１の金具Ｕ１と固定部３６とは一体であってもよいし、別体であってもよい。
【００２７】
取付部材本体３０の第２の金具Ｕ２の一方側の端部には、固定部材３７が挿入される開口部３７Ｂが形成されている。第２の金具Ｕ２には、上端部にはＺ１方向及びＺ２方向に対して平行ではなく交差する傾斜面部３３が形成されている。傾斜面部３３は、第２の被支持部３２に第２の支持部２５２が嵌められる際に第２の支持部２５２と接触する傾斜面３３Ａを含み、取付部材本体３０の他方側に形成されている。傾斜面部３３は、第２の被支持部３２に第２の支持部２５２が嵌められた状態において、第２の支持部２５２よりも枠体２０１の天面部２０１Ｃ側の位置に形成されている。傾斜面部３３の傾斜面３３Ａは、天面部２０１Ｃ側に位置する部分よりも第２の支持部２５２側に位置する部分の方が枠体２０１の内側面ＳＡに寄るように傾斜している。
第２の金具Ｕ２には、開口部３７Ｂの形成位置とは逆側である他方側の端部に、操作部３５が接続されている。第２の金具Ｕ２と操作部３５とは一体であってもよいし、別体であってもよい。本実施の形態では、第２の金具Ｕ２と操作部３５とが一体である場合を例に説明する。
第２の金具Ｕ２には、傾斜面部３３の形成位置の下側に開口部である第２の被支持部３２が形成されている。第２の被支持部３２には、第２の支持部２５２が嵌められる。ここで、第２の金具Ｕ２は、第１の金具Ｕ１よりも薄く構成されおり、また、材質が第１の金具Ｕ１を構成する鉄よりも柔らかいステンレスであるため、撓みやすくなっている。このため、操作部３５を持って第２の金具Ｕ２を変形させることで、第２の被支持部３２を第２の支持部２５２から外すことができるようになっている。ここで、第１の金具Ｕ１と第２の金具Ｕ２とを連結する部分に形成された開口部３７Ｂの位置は第２の金具Ｕ２の一方側の端部であるが、操作部３５の接続位置は第２の金具Ｕ２の他方側の端部である。このため、作業者が操作部３５を持ってＹ１方向又はＹ２方向に力を加えることで、第２の金具Ｕ２を開口部３７Ｂの形成位置を支点として容易に変形させることができる。このようにして、作業者は、灯具部３００を枠体２０１から容易に外すことができる。
第２の金具Ｕ２は、第２の被支持部３２である開口部の縁部に形成され、枠体２０１の内側面ＳＡから取付部材本体３０に向かって突出する凸状部３４が形成されている。この凸状部３４は、第２の被支持部３２に第２の支持部２５２（後述する頭部２５２Ｂ）が嵌められた状態において、頭部２５２Ｂの周りに配置されている。この凸状部３４が形成されていることにより、頭部２５２Ｂと第２の金具Ｕ２の取付部材本体３０とが引っ掛かってしまうことを回避することができる。
【００２８】
固定部３６は、第１の金具Ｕ１に接続された板状部材である。固定部３６には、例えば、ネジ等の固定部材が挿入されて、設置部３０５に固定される。
【００２９】
操作部３５は、第２の金具Ｕ２に対して平行ではなく、交差するように設けられている。すなわち、操作部３５は、第２の金具Ｕ２との接続側である一端側よりも、他端側の方がＹ１方向側又はＹ２方向側に位置している。これにより、作業者は、操作部３５を持って第２の金具Ｕ２を撓ませやすくなっている。
【００３０】
＜灯具部３００の着脱時における各種構成の位置関係＞
図７は、本実施の形態に係る照明装置１００の取付部材３の第２の被支持部３２及び第２の被支持部３２に嵌る第２の支持部２５２等の説明図である。図７（ａ）は第２の被支持部３２を第２の支持部２５２に着脱する際の様子の説明図である。図７（ｂ）は、図７（ａ）に示す点線Ａ−Ａを通る断面図である。なお、図７（ａ）では、説明の都合上、フレーム２０２等の構成については除いている。
【００３１】
第２の支持部２５２は、一端が枠体２０１の内側面ＳＡに接続された棒状部２５２Ａと、棒状部２５２Ａの他端に形成され、棒状部よりも径が大きい頭部２５２Ｂとを含む。ここで、頭部２５２Ｂは、先端面（接触面）が曲面状に形成されている。
【００３２】
第２の被支持部３２に第２の支持部２５２を嵌める場合には、図７（ａ）及び図７（ｂ）に示す取付部材３（第２の被支持部３２）が上側に移動していく。そして、頭部２５２Ｂの先端面と傾斜面３３Ａとが接触する。ここで、頭部２５２Ｂが曲面状であるため、頭部２５２Ｂも傾斜面３３Ａも破損等することを回避することができる。
そして、取付部材３を上側に移動していくと、第１の金具Ｕ１よりも撓みやすい第２の金具Ｕ２は、頭部２５２Ｂに押されてＹ１方向側に曲がるように撓む。
さらに、取付部材３を上側に移動していくと、第２の金具Ｕ２の第２の被支持部３２に第２の支持部２５２が嵌る。
第２の被支持部３２から第２の支持部２５２を外す場合には、上記の動きとは逆になる。
【００３３】
＜透光性カバー３０３の固定手段＞
図８は、本実施の形態に係る照明装置１００の透光性カバー３０３を取付部材３に固定する構成等についての説明図である。図８（ａ）は、固定部３０３Ｄに固定部材３０３Ｅが挿入されている状態の説明図であり、図（ｂ）は、固定部材３０３Ｅ単体の説明図である。図８を参照して透光性カバー３０３を取付部材３に固定する手段等について説明する。
照明装置１００は、光の漏れ等を考慮して、平面部３０３Ｂの端部に透光性カバー３０３を固定する構成を設けず、平面部３０３Ｃの端部に透光性カバー３０３を固定する構成を設けている。
透光性カバー３０３の平面部３０３Ｃの端部に形成された固定部３０３Ｄには、固定部材３０３Ｅが挿入される開口部（図示省略）が形成されている。この開口部に連通する開口部が、取付部材３の取付部材本体３０の第１の金具Ｕ１にも形成されている。固定部材３０３Ｅは、固定部３０３Ｄの開口部に挿入され、第１の金具Ｕ１の開口部に締結される。
【００３４】
ここで、固定部材３０３Ｅは、第１の金具Ｕ１に締結される先端部３０３Ｅ１と、固定部３０３Ｄに挿入される胴部３０３Ｅ２と、胴部３０３Ｅ２よりも径が大きい頭部３０３Ｅ３とを含む。径の大きさは、頭部３０３Ｅ３、胴部３０３Ｅ２及び先端部３０３Ｅ１の順番に大きい。
胴部３０３Ｅ２の長さ寸法Ａは、固定部３０３Ｄの開口部のうち胴部３０３Ｅ２が挿入されている部分の深さ方向の寸法Ｂよりも大きい。この寸法関係を満たすことで、頭部３０３Ｅ３の前面が固定部３０３Ｄを常時押し付けてしまうことを回避することができる。したがって、固定部材３０３Ｅを締結しても、固定部材３０３Ｅの頭部３０３Ｅ３と透光性カバー３０３の固定部３０３Ｄとが強く接触してしまうことを回避することができる。これにより、透光性カバー３０３が破損等することを回避することができる。
また、固定部３０３Ｄの開口部のうち頭部３０３Ｅ３が挿入されている部分の径寸法Ｃは、頭部３０３Ｅ３の径寸法Ｄよりも大きい。この寸法関係を満たすことで、頭部３０３Ｅ３の周面が固定部３０３Ｄの開口部の内側に位置することになる。したがって、固定部材３０３Ｅを締結しても、固定部材３０３Ｅの頭部３０３Ｅ３と透光性カバー３０３の固定部３０３Ｄとが強く接触してしまうことを回避することができる。これにより、透光性カバー３０３が破損等することを回避することができる。
【００３５】
＜動作説明＞
図９は、本実施の形態に係る照明装置１００の第１の状態の説明図である。図１０は、本実施の形態に係る照明装置１００の第２の状態の説明図である。図９及び図１０を参照して照明装置１００の灯具部３００の動作について説明する。
灯具部３００は、第１の被支持部３１が第１の支持部２５１に支持され、第２の被支持部３２が第２の支持部２５２に嵌められた第１の状態（図９参照）と、第１の状態における第２の被支持部３２が第２の支持部２５２から外れ、第１の被支持部３１を中心に取付部材３が回動可能な第２の状態（図１０参照）とを含む。すなわち、照明装置１００の灯具部３００の着脱方法は、上記第１の状態と第２の状態とを含む。灯具部３００を枠体２０１から取り外す場合には、作業者は、第１の状態から第２の状態へ灯具部３００を移行させ、灯具部３００を枠体２０１に取り付ける場合には、作業者は、第２の状態から第１の状態へ灯具部３００を移行させる。
【００３６】
第１の状態においては、第１の被支持部３１は第１の支持部２５１に支持されている。ここで、第１の被支持部３１の切欠の方向は、Ｘ１方向又はＸ２方向に平行である。したがって、第１の支持部２５１の棒状部は、第１の被支持部３１からずれ落ちることなく、第１の被支持部３１を支持している。また、第２の被支持部３２は、第２の支持部２５２に嵌められている。したがって、第２の支持部２５２の棒状部２５２Ａは、第２の被支持部３２の開口部に引っ掛かっている。このように、第１の状態においては、取付部材３は、枠体２０１に２箇所で支持されている。灯具部３００には、取付部材３が２つ設けられているため、枠体２０１に４箇所で支持されている。
【００３７】
第１の状態から第２の状態に移行する場合には、作業者は、操作部３５をつかみ、第２の金具Ｕ２を撓ませる。これにより、第２の金具Ｕ２が変形し、第２の支持部２５２の棒状部２５２Ａは、第２の被支持部３２の開口部から外れる。第２の支持部２５２が第２の被支持部３２から外れると、灯具部３００は、第１の被支持部３１を支点として回転自在となる。
図１０に示す第２の状態では、第１の被支持部３１の切欠の方向は、Ｚ１方向又はＺ２方向に平行である。しかし、第１の被支持部３１には凸部３１Ａが形成されているため、第１の支持部２５１の棒状部は、凸部３１Ａに引っ掛かり、第１の被支持部３１からずれ落ちることなく、第１の被支持部３１を支持している。
【００３８】
第２の状態から第１の状態に移行する場合には、作業者は、灯具部３００の一方側を持ち上げて灯具部３００を回転させることで取付部材３を上側に移動させ、第２の支持部２５２と第２の被支持部３２とを近づけていく。そして、頭部２５２Ｂの先端面と傾斜面３３Ａとが接触した状態で、さらに、取付部材３を上側に移動していくと、第２の金具Ｕ２は、頭部２５２Ｂに押されて撓む。第２の金具Ｕ２が撓んだ状態からさらに取付部材３を上側に移動していくと、第２の金具Ｕ２の第２の被支持部３２に第２の支持部２５２が嵌る。
【００３９】
＜本実施の形態に係る照明装置１００の有する効果＞
本実施の形態に係る照明装置１００は、一面に開口を有する枠体２０１と、光源部と枠体２０１に取り付けられる取付部材とを含み、枠体２０１の内側に位置するように配置される灯具部と、を備え、枠体２０１は、灯具部３００の端部に向かい合う内側面ＳＡに設けられ、取付部材３を支持する第１の支持部２５１と、第１の支持部２５１が設けられた内側面ＳＡと同じ内側面ＳＡに設けられ、取付部材３を支持する第２の支持部２５２とを含み、取付部材３は、灯具部３００の端部に設けられ、第１の支持部２５１に回転自在に支持される第１の被支持部３１と、第２の支持部２５２に嵌められ、第２の支持部２５２に支持される第２の被支持部３２とを含む。このため、ドライバー等の工具を用いなくても、枠体２０１の第２の支持部２５２に第２の被支持部３２を着脱することで、灯具部３００を枠体２０１に着脱することができ、灯具部３００の交換の際の作業者の負担が増大することを抑制することができる。
灯具部３００の端部が２つの箇所（第１の被支持部３１及び第２の被支持部３２）で支持される構造を採用している。このため、灯具部３００をねじ等で固定しなくても、灯具部３００が意図せずに落下等してしまうことを回避することができる。
【００４０】
建物等の天井には、例えば、照明装置の他に、スピーカー、空調の吸込口及び吹出口等の各種設備が設けられたシステム天井がある。なお、建物にはＴ字型の棒状部材が天井側に取り付けられており、システム天井の天井板はこのＴ字型の棒状部材に支持されている。なお、システム天井では、建物等の各部屋に臨む天井板に、照明装置、スピーカー、空調の吸込口及び吹出口等を設置する位置及び大きさ等が予め定められている。
【００４１】
システム天井は、建物に設置するにあたって工期を短縮することができ、コストアップを抑制する等のメリットを有する。しかし、システム天井では、取り付けられる照明装置の自由度が低くなる。すなわち、システム天井では、ねじ止めにより器具本体に取り付ける態様の照明装置以外の照明装置を採用することができなくなる場合がある。この場合には、作業者は灯具部を交換する作業において、ドライバー等の工具を用いる。照明装置は天井に設けられているため、作業者は、脚立等に登りながら、工具を用いて作業をする必要がある。すなわち、照明装置の灯具部がねじ止めにより器具本体に取り付ける態様の照明装置では、灯具部の交換の際の作業者の負担が増大してしまうことになる。しかし、本実施の形態に係る照明装置１００は、上記のように、枠体２０１の第２の支持部２５２に第２の被支持部３２を着脱することで、灯具部３００を枠体２０１に着脱することができ、灯具部３００の交換の際の作業者の負担が増大することを抑制することができる。
【００４２】
本実施の形態に係る照明装置１００の第１の支持部２５１及び第２の支持部２５２は、灯具部３００が配置されている側に向かって突出するように構成され、取付部材３は、板状に構成された取付部材本体３０を含み、取付部材本体３０は、一方側に形成され、第１の被支持部３１に対応する構成である切欠と、他方側に形成され、第２の被支持部３２に対応する構成である開口部とを含む。このため、各支持部が切欠及び開口部に支持されることになる。第１の支持部２５１が切欠を支持し、灯具部３００は、回転自在に支持されることになる。
一方、第２の支持部２５２が開口部に嵌められ、取付部材３が、Ｘ１方向（又はＸ２方向）とＺ１方向（又はＺ２方向）に平行な方向に力が加わっても、第２の支持部２５２は、開口部から脱落してしまうことを回避することができる。開口部には、切欠のような開放部分がないため、第２の金具Ｕ２を撓ませないと、第２の支持部２５２の逃げ場ができないためである。
このように、取付部材３は、一方が嵌められて支持され、他方が回転自在に支持されており、ドライバー等の工具を用いなくても、灯具部３００を枠体２０１に着脱することができる。したがって、灯具部３００の交換の際の作業者の負担が増大することを抑制することができる。
【００４３】
本実施の形態に係る照明装置１００の取付部材３は、開口部に第２の支持部２５２が嵌められる際に第２の支持部２５２と接触する傾斜面３３Ａが形成され、取付部材本体３０の他方側の上端に接続された傾斜面部３３とをさらに含み、傾斜面部３３は、開口部に第２の支持部２５２が嵌められた状態において、第２の支持部２５２よりも枠体２０１の天井面側の位置にあり、傾斜面３３Ａは、天井面側に位置する部分よりも第２の支持部２５２側に位置する部分の方が枠体２０１の内側面ＳＡに寄るように傾斜している。第２の被支持部３２に第２の支持部２５２を嵌める際の動作において、傾斜面部３３が形成されているため第２の支持部２５２が傾斜面部３３の傾斜面３３Ａに接触したときに、第２の金具Ｕ２がＹ１方向又はＹ２方向の力を受ける。これによって、第２の金具Ｕ２が撓んで変形しやすくなっている。これにより、第２の支持部２５２を第２の被支持部３２に嵌める際の作業者の負担を抑制することができる。
【００４４】
本実施の形態に係る照明装置１００は、第２の支持部２５２は、一端が枠体２０１の内側面に接続された棒状部２５２Ａと、棒状部２５２Ａの他端に形成され、棒状部２５２Ａよりも径が大きい頭部２５２Ｂとを含み、頭部２５２Ｂは、第２の支持部２５２との接触面が曲面状に形成されている。頭部２５２Ｂの接触面が曲面状であるため、頭部２５２Ｂと傾斜面３３Ａとが接触したときに、第２の支持部２５２及び第２の被支持部３２のいずれも破損等してしまうことを抑制することができる。
【００４５】
本実施の形態に係る照明装置１００は、取付部材３は、開口部の縁部に形成され、枠体の内側面から取付部材本体に向かって突出する凸状部３４をさらに含み、凸状部３４は、開口部に頭部２５２Ｂが嵌められた状態において、頭部２５２Ｂの周りに配置されている。仮に凸状部３４が形成されていないと、頭部２５２Ｂの後面と第２の金具Ｕ２の取付部材本体３０の表面とが接触してしまい、頭部２５２Ｂが取付部材本体３０に引っ掛かることがある。頭部２５２Ｂが取付部材本体３０に引っ掛かると、第２の金具Ｕ２を撓ませても、取付部材３から第２の支持部２５２が外れなくなってしまう。ここで、頭部２５２Ｂの後面とは、頭部２５２Ｂのうち棒状部２５２Ａが接続されている側の面であって頭部２５２Ｂの先端面とは逆の面である。
凸状部３４が形成されていることにより、頭部２５２Ｂと第２の金具Ｕ２の取付部材本体３０とが引っ掛かってしまうことを回避することができ、すみやかに、取付部材３から第２の支持部２５２を外すことができる。
【００４６】
本実施の形態に係る照明装置１００は、第２の支持部２５２及び第２の被支持部３２は、傾斜面部３３の天井面側の端部から内側面ＳＡまでの間隔が、第２の支持部２５２の先端から内側面ＳＡまでの間隔よりも大きくなるように構成されている。これにより、第２の支持部２５２は、傾斜面部３３よりも内側面ＳＡ側に位置することになるので、より確実に、傾斜面部３３に基づく作用及び効果を得ることができる。すなわち、より確実に、第２の金具Ｕ２を変形させることができ、第２の支持部２５２を第２の被支持部３２に嵌める際の作業者の負担を抑制することができる。
【００４７】
本実施の形態に係る照明装置１００は、取付部材本体３０は、第１の被支持部３１が形成された第１の金具Ｕ１と、第２の被支持部３２が形成された第２の金具Ｕ２とを含み、第２の金具Ｕ２は、第１の金具Ｕ１よりも弾性を有するように構成されている。第２の金具Ｕ２を第２の金具Ｕ２よりも弾性を有するように構成することで、第２の金具Ｕ２を撓ませる際の作業者の負担を抑制することができる。
なお、本実施の形態では、第２の金具Ｕ２は、（１）第１の金具Ｕ１よりも厚さを薄くし、（２）第１の金具Ｕ１に採用されている材質（例えば、鉄）よりも柔らかい材質（例えば、ステンレス）を採用している態様について説明したが、それに限定されるものではない。設計上確保したい弾性に応じて、（１）の条件だけを採用してもよいし、（２）の条件だけを採用してもよい。また、第１の金具Ｕ１及び第２の金具Ｕ２を金属で構成することに限らず、上述の（１）及び（２）の条件を満たすようにして、樹脂等で構成してもよい。
なお、第２の金具Ｕ２が第２の支持部２５２から外れている状態では、第１の金具Ｕ１だけで灯具部３００の重量を支えることになる。この観点からすれば、第１の金具Ｕ１には、第２の金具Ｕ２よりも負担がかかる。そこで、第１の金具Ｕ１の強度については第２の金具Ｕ２よりも高く確保しておくとよい。したがって、第１の金具Ｕ１については、第２の金具Ｕ２よりも高剛性の材料を採用するとよい。
【００４８】
本実施の形態に係る照明装置１００は、第２の金具Ｕ２には、傾斜面部３３がさらに形成されている。これにより、第２の支持部２５２が第２の金具Ｕ２に接触したときに、第２の金具Ｕ２が撓んで変形しやすくなり、第２の支持部２５２を第２の被支持部３２に嵌める際の作業者の負担を抑制することができる。
【００４９】
図１１は、本実施の形態に係る照明装置１００の意匠性を向上させる構成の説明図である。本実施の形態に係る照明装置１００は、反射板３０２の反射部３０２Ａ及び折曲部３０２Ｂによって取付部材３、支持構造２５０、通気穴２０１Ｄ、壁部２０１Ｆ、点灯装置２１０、点灯装置２１０に接続される各種配線等が見えないように構成されている。
照明装置１００が設置されている室内から照明装置１００の内部構造が見える範囲は、図１１に示す線分Ｔ１と線分Ｔ２との内側の範囲である。
ここで、線分Ｔ１は、枠体２０１の側面部２０１Ａの下端と紙面右側の反射板３０２の折曲部３０２Ｂの上端とを結ぶ線分である。また、線分Ｔ２は、枠体２０１の側面部２０１Ａとは対向する方の側面部と紙面左側の反射板３０２の上端とを結ぶ線分である。上述した取付部材３等は、この線分Ｔ１と線分Ｔ２との内側の範囲に収まっている。したがって、室内に在室している者は、照明装置１００の方向を見上げても、取付部材３等を室内から視認することがない。例えば、枠体２０１の高さ方向の幅、反射板３０２の反射部３０２ＡのＸ１方向又はＸ２方向の幅、及び折曲部３０２ＢのＺ１方向又はＺ２方向の幅を適宜設定することで、上述の意匠性を向上させる構成を得ることができる。
【００５０】
本実施の形態に係る照明装置１００は、灯具部３００を枠体２０１に取り付けるにあたってねじ等を使用していない。したがって、照明装置１００に締結されたねじが見えてしまい、照明装置１００の意匠性が低下してしまうことを抑制することができる。
【００５１】
本実施の形態に係る照明装置１００は、壁部２０１Ｆの間に点灯装置２１０が配置されているので、点灯装置２１０で火が発生したとしても、点灯装置２１０の火が広がることを抑制することができる。
【００５２】
本実施の形態に係る照明装置１００は、回転する支点となる方の第１の被支持部３１が、第２の被支持部３２よりも外側に配置されている。つまり、灯具部３００は、内側から外側に開くように回転自在となっている。つまり、第１の被支持部３１の方が、第２の被支持部３２よりも側面部２０１Ａ寄りに配置されている。例えば、作業者が脚立に上って作業しているときに、灯具部３００の第２の被支持部３２を外すと、自身の位置から逃げる側に灯具部３００が回転して移動するため、作業者の邪魔となりにくい。
【００５３】
＜変形例＞
図１２は、本実施の形態に係る照明装置１００の変形例の説明図であり、操作部３５で取付部材１を撓ませる前の状態の説明図である。図１３は、本実施の形態の変形例の説明図であり、操作部３５で取付部材１を撓ませた後の状態の説明図である。図１２（ａ）及び図１３（ａ）は灯具部３００を透光性カバー３０３側から見た図であり、図１２（ｂ）及び図１３（ｂ）は灯具部３００を折曲部３０２Ｂ側から見た図である。また、図１２（ｃ）及び図１３（ｃ）は灯具部３００を取付部材１が配置されている端部側から見た図であり、図１２（ｄ）及び図１３（ｄ）は灯具部３００を設置部３０５側から見た図である。
一般的に、金具を曲げると弾性作用によって元の形状に戻ろうとする。しかし、金具を曲げて変形させすぎると金属が塑性変形を起こし、元の形状に戻らなくなる。
ここで、第２の金具Ｕ２は、灯具部３００を着脱する際に作業者によって撓ませられる部材である。そこで、第２の金具Ｕ２を撓ませた際に第２の金具Ｕ２が塑性変形してしまうことを回避するため、本実施の形態の変形例では、固定部１３６が、第２の金具Ｕ２の撓み量を規制する撓み量規制部３６Ｂが形成された態様となっている。
【００５４】
変形例においても、取付部材１は灯具部３００の長手方向の両端部に、それぞれ取付部材１が設けられている。取付部材１の第２の金具Ｕ２を撓ませていない状態は、図１２（ｄ）に示すように、第１の金具Ｕ１と第２の金具Ｕ２とが広い範囲で接触している。しかし、操作部３５を掴んで取付部材１の第２の金具Ｕ２を撓ませると、図１３（ｄ）に示すように、第２の金具Ｕ２は、第１の金具Ｕ１との接触部分の一部が、第１の金具Ｕ１から離れるように撓む。
【００５５】
図１４は、本実施の形態の変形例の斜視図であり、操作部３５で取付部材１を撓ませる前の状態の説明図である。図１５は、本実施の形態の変形例の斜視図であり、操作部３５で取付部材１を撓ませた後の状態の説明図である。図１４（ａ）及び図１５（ａ）は灯具部３００を下側から見た斜視図であり、図１４（ｂ）及び図１５（ｂ）は灯具部３００を上側から見た斜視図である。
変形例に係る灯具部３００の固定部１３６は、本実施の形態に係る灯具部３００の固定部３６よりも、Ｘ１方向又はＸ２方向に平行な幅が大きくなっている。固定部１３６は、設置部３０５に対してはみ出すように設けられている。すなわち、設置部３０５のＸ１方向又はＸ２方向に平行な幅よりも、固定部１３６のＸ１方向又はＸ２方向に平行な幅の方が大きい。したがって、固定部１３６の一端側の部分及び他端側の部分は、設置部３０５に対向しておらず、反射部３０２Ａに対向している。ここで、固定部１３６の一端側を操作部３５が配置されている側とし、固定部１３６の他端側を第１の被支持部３１が配置されている側とする。
【００５６】
図１６は、本実施の形態の変形例の灯具部３００を上側から見た図であり、操作部３５で取付部材１を撓ませる前の状態の図である。図１７は、本実施の形態の変形例の灯具部３００を上側から見た図であり、操作部３５で取付部材１を撓ませた後の状態の図である。図１８は、本実施の形態の変形例の取付部材１の第２の金具Ｕ２を各種の方向から見た図である。
固定部１３６は、設置部３０５に固定される固定部本体３６Ａと、固定部本体３６Ａの一端側に形成された撓み量規制部３６Ｂとを含む。
固定部本体３６Ａは、設置部３０５上に配置され、設置部３０５に固定されているものである。固定部本体３６Ａには、穴３６Ｃ１、穴３６Ｃ２及び穴３６Ｃ３が形成されている。穴３６Ｃ１には、設置部３０５に形成された爪部３０５Ａが挿入されている。穴３６Ｃ１に爪部３０５Ａを挿入することで、爪部３０５Ａが固定部本体３６Ａに引っ掛かるようになっている。穴３６Ｃ２は、図示省略の灯具部３００の光源モジュールに接続される配線を通すために形成されたものである。穴３６Ｃ３は、例えば、ネジが挿入されて、取付部材１を設置部３０５上に固定するのに用いられるものである。
【００５７】
撓み量規制部３６Ｂは、灯具部３００が器具本体２００に取り付けられている状態において、Ｚ１方向又はＺ２方向及びＹ１方向又はＹ２方向に設けられている。撓み量規制部３６Ｂは、固定部本体３６Ａの一端側に形成されている。撓み量規制部３６Ｂは、固定部本体３６Ａに直交するように設けられている。撓み量規制部３６Ｂは、取付部材本体３０に近い側の端部３６Ｂ１と、取付部材に遠い側の端部３６Ｂ２とが形成されている。ここで、取付部材本体３０のうち、内側面ＳＡに対向する面を第１の面ＳＵ１と規定し、第１の面ＳＵ１とは反対側に形成された面を第２の面ＳＵ２と規定する。このとき、端部３６Ｂ１と第２の面ＳＵ２との間には間隔ＤＰ（隙間）が形成されている。この間隔ＤＰの大きさは、第２の金具Ｕ２を撓み量の許容量に対応して定められる。すなわち、間隔ＤＰの大きさは、第２の金具Ｕ２が塑性変形しない範囲で定められる。例えば、第２の金具Ｕ２が弾性の大きい金属で構成されていれば、弾性の小さい金属で構成されている場合と比較して、間隔ＤＰを大きく設定してもよい。
【００５８】
本実施の形態の変形例の灯具部３００は、一方の面に光源部３０４が設けられ、一方の面とは反対側の他方の面に取付部材１が設けられた設置部３０５をさらに含み、取付部材１は、取付部材本体３０の下端に接続され、取付部材本体３０に直交し、設置部３０５に固定された固定部１３６と、取付部材本体３０の他方側の側端に接続された操作部３５とをさらに含み、取付部材本体３０は、内側面ＳＡに対向する第１の面ＳＵ１及び第１の面ＳＵ１とは反対側に形成された第２の面ＳＵ２を含み、固定部１３６は、予め定められた間隔ＤＰをあけて、取付部材本体３０（第２の金具Ｕ２）の第２の面ＳＵ２の対向位置に設けられ、取付部材本体３０の撓み量を規制する撓み量規制部３６Ｂを含むものである。このように、変形例に係る灯具部３００は、間隔ＤＰをもって配置された撓み量規制部３６Ｂを含むものであるため、作業者が操作部３５を動かして取付部材１が塑性変形するほど曲がってしまうことを回避することができる。
【００５９】
本実施の形態の変形例の灯具部３００の取付部材１は、第１の被支持部が形成された第１の金具Ｕ１と、第２の被支持部及び操作部３５が形成された第２の金具Ｕ２とを含み、第２の金具Ｕ２は、第１の金具Ｕ１よりも弾性を有するように構成されているものである。このように、第２の金具Ｕ２は第１の金具Ｕ１よりも弾性を優先した構成となっているので、第２の金具Ｕ２が塑性変形してしまうことがより回避しやすくなっている。
【符号の説明】
【００６０】
１  取付部材、３  取付部材、３０  取付部材本体、３１  第１の被支持部、３１Ａ  凸部、３２  第２の被支持部、３３  傾斜面部、３３Ａ  傾斜面、３４  凸状部、３５  操作部、３６  固定部、３６Ａ  固定部本体、３６Ｂ  撓み量規制部、３６Ｂ１  端部、３６Ｂ２  端部、３６Ｃ１  穴、３６Ｃ２  穴、３６Ｃ３  穴、３７  固定部材、３７Ａ  開口部、３７Ｂ  開口部、３８  保護部、１００  照明装置、１３６  固定部、２００  器具本体、２０１  枠体、２０１Ａ  側面部、２０１Ｂ  枠本体、２０１Ｃ  天面部、２０１Ｄ  通気穴、２０１Ｆ  壁部、２０１Ｇ  開口、２０２  フレーム、２１０  点灯装置、２３０  ルーバー、２５０  支持構造、２５１  第１の支持部、２５２  第２の支持部、２５２Ａ  棒状部、２５２Ｂ  頭部、３００  灯具部、３０２  反射板、３０２Ａ  反射部、３０２Ｂ  折曲部、３０２Ｃ  段部、３０３  透光性カバー、３０３Ａ  曲面部、３０３Ｂ  平面部、３０３Ｃ  平面部、３０３Ｄ  固定部、３０３Ｅ  固定部材、３０３Ｅ１  先端部、３０３Ｅ２  胴部、３０３Ｅ３  頭部、３０４  光源部、３０５  設置部、３０５Ａ  爪部、Ａ  寸法、Ｂ  寸法、Ｃ  径寸法、Ｄ  径寸法、ＤＰ  隙間、ＰＡ  パネル、ＳＡ  内側面、ＳＵ１  第１の面、ＳＵ２  第２の面、Ｔ１  線分、Ｔ２  線分、Ｕ１  第１の金具、Ｕ２  第２の金具。
【図１】
0006624854.tif 000002
【図２】
0006624854.tif 000003
【図３】
0006624854.tif 000004
【図４Ａ】
0006624854.tif 000005
【図４Ｂ】
0006624854.tif 000006
【図５】
0006624854.tif 000007
【図６】
0006624854.tif 000008
【図７】
0006624854.tif 000009
【図８】
0006624854.tif 000010
【図９】
0006624854.tif 000011
【図１０】
0006624854.tif 000012
【図１１】
0006624854.tif 000013
【図１２】
0006624854.tif 000014
【図１３】
0006624854.tif 000015
【図１４】
0006624854.tif 000016
【図１５】
0006624854.tif 000017
【図１６】
0006624854.tif 000018
【図１７】
0006624854.tif 000019
【図１８】
0006624854.tif 000020